(57)【要約】【課題】  底鋼板とコンクリートとを備えた合成床版の継手部においては、底鋼板同士が不連続であったためこの間の応力伝達を設計上見込むことができず、合成床版として有効性が阻害されていることに鑑みて、継手部を連続構造として剛性を大きくできる合成床版の継手構造を提供する。【解決手段】  合成床版10を突き合わせた底鋼板11のそれぞれの端縁部に重ね合わせて連結板15を、該合成床版10の内側から配する。該端縁部のそれぞれにはボルト穴11aが、連結板15には該ボルト穴11aに合致するボルト穴15aがそれぞれ形成され、これらのボルト穴11a、15aを挿通させて高力ボルト16を挿通させ、ナット17を締め付けて、連結板15を底鋼板11に締結させる。配力筋13や主鉄筋14等の所定の配筋を行って所定の厚さまでコンクリートを打ち込む。【選択図】        図１
2006225956.tif 000002
【特許請求の範囲】
【請求項１】
底鋼板に補強材やジベルを溶着してコンクリートを打ち込んでなる合成床版において、
前記底鋼板の橋軸方向の端縁部にボルトを挿通させるボルト穴を形成し、
隣接する合成床版の橋軸方向の端部を突き合わせた状態で、これら隣接する合成床版のそれぞれの端縁部に重ね合わせると共に、重ね合わせた状態で前記ボルト穴と合致する位置にボルトを挿通させるボルト穴を形成した連結板を、合成床版の内側から設置し、
前記底鋼板及び連結板のボルト穴に、高力ボルトを挿通させて、連結板を隣接する合成床版のそれぞれの端縁部に締結してあることを特徴とする合成床版の継手構造。
【請求項２】
前記ボルト穴は、合成床版のそれぞれの端縁部に同一列数で一線上または千鳥状に形成してあることを特徴とする請求項１に記載の合成床版の継手構造。
【発明の詳細な説明】
【技術分野】
【０００１】
この発明は、鋼板とコンクリートとの合成による合成床版の隣接するもの同士を接合させる合成床版の継手構造に関する。
【背景技術】
【０００２】
道路橋の床版は、車両の影響を直接受ける部材であるため損傷が生じやすく、この現象は近年の車両の大型化および交通量の増大に伴って、より顕著になる傾向にある。また、最近の橋梁の合理化による少主桁化の影響で、従来の床版に比べて長い床版支間に耐えうる床版が求められるようになってきている。このような要望から、近年においては、鋼・コンクリート合成床版の研究・開発が進められ、実用化されている。この鋼・コンクリート合成床版は、床鋼板に所定のずれ止めやスタッドジベル、補強材等を溶接し、主鉄筋と配力筋を配置させてコンクリートを打ち込むことにより製作される。なお、この種の合成床版による施工として、プレキャスト方式と場所打ち方式とがある。プレキャスト方式では、コンクリートの打ち込みまでを工場で行い、それを現場に搬送して架設し、継手部に関して現場で施工を行うようにしたものである。場所打ち方式では、底鋼板の製作加工を工場で行い、主鉄筋と配力筋の配置とコンクリートの打ち込みとを現場にて行うようにしたものである。
【０００３】
この種の合成床版の橋軸方向の継手部における底鋼板は、不連続となっている。図４及び図５は従来の合成床版に関する正曲げ部における継手部を示すもので、図４は橋軸を含む鉛直面で切断した断面図であり、図５は図４におけるＢ−Ｂ線断面図である。合成床版１は、底鋼板２に適宜間隔でＣＴ形鋼からなる補強材３が溶接され、この補強材３の上方に橋軸方向に沿った配力筋４が適宜間隔で配され、この配力筋４に橋幅方向に沿った主鉄筋５が配されている。そして、継手部にはループ継手筋６が配されている。また、図６及び図７に示すように、負曲げ部における継手部では下側配力筋７が配されており、該下側配力筋７は補強材３に形成された透孔3aを貫通させて配されている。なお、底鋼板２にはずれ止め９が溶着さている。そして、これら補強材３や配力筋４、主鉄筋５等が埋設する十分な厚さ位置までコンクリートが打ち込まれる。コンクリートを打ち込む際、前述した継手部における底鋼板２が不連続であるため、その間隙からコンクリートが漏洩してしまうと不都合である。このため、この間隙を閉塞する閉成板８が、上方から施工できるように、隣接する底鋼板２に掛け渡されて配されている。
【０００４】
ところで、鋼板とコンクリートを合成するジベルが鋼板に溶接により固着されていることにより生ずる欠点を除去すると共にプレキャスト床版本体と継手部が同じ構造として全体として一体化するようにしたプレキャスト床版及びその継手構造として、特許文献１には、接続すべきプレキャスト床版の継手部を突き合わせ、その下面に継手部に形成した高力ボルト取り付け用孔と合致する高力ボルト取り付け用孔を形成した添接板を添接し、高力ボルトを高力ボルト取り付け用孔に挿通するとともにナットを用いて締め付けてジベルとなるように取り付け、かつ、接続すべきプレキャスト床版を接続し、その後、コンクリートを打設してなる構造が開示されている。
【０００５】
【特許文献１】特開平９−２１１１４号
【発明の開示】
【発明が解決しようとする課題】
【０００６】
特許文献１に開示された継手構造では、高力ボルトをジベルとなるように取り付けて、突き合わせたプレキャスト床版を接続するようにしたものである。このため、該高力ボルトの高さは、打ち込まれるコンクリートの中立軸から上面かぶり厚さの位置までの範囲とすることが好ましく、長尺の高力ボルトとなる。また、添接板を底鋼板の外側から添接してある。
【０００７】
そこで、この発明は、ＲＣ構造とすることなく、合成断面を連続させて、強度を確保できるようにした合成床版の継手構造を提供することを目的としている。
【課題を解決するための手段】
【０００８】
前記目的を達成するための技術的手段として、この発明に係る合成床版の継手構造は、底鋼板に補強材やジベルを溶着してコンクリートを打ち込んでなる合成床版において、前記底鋼板の橋軸方向の端縁部にボルトを挿通させるボルト穴を形成し、隣接する合成床版の橋軸方向の端部を突き合わせた状態で、これら隣接する合成床版のそれぞれの端縁部に重ね合わせると共に、重ね合わせた状態で前記ボルト穴と合致する位置にボルトを挿通させるボルト穴を形成した連結板を、合成床版の内側から設置し、前記底鋼板及び連結板のボルト穴に、高力ボルトを挿通させて、連結板を隣接する合成床版のそれぞれの端縁部に締結してあることを特徴としている。
【０００９】
すなわち、連結板によって隣接する合成床版の底鋼板同士を連結したものである。このため、合成断面の不連続部が消滅することになる。
【００１０】
また、請求項２の発明に係る合成床版の継手構造は、前記ボルト穴は、合成床版のそれぞれの端縁部に同一列数で一線上または千鳥状に形成してあることを特徴としている。
【００１１】
底鋼板の端縁部のそれぞれに１列ずつのボルト穴を形成して、合計２列の高力ボルトによって締結する構造が基本であるが、同部の設計により必要ボルト列数が２列を超える場合もあり得る。
【発明の効果】
【００１２】
この発明に係る合成床版の継手構造によれば、継手部において、ループ継手筋や下側配力筋を省くことができ、現場における配筋作業を簡便化できる。また、下側配力筋を省略することにより補強材に該下側配力筋を貫通させるための貫通孔を形成する作業が不要となり、加工の繁雑さをなくすことができる。さらに、鉄筋量の削減によってコンクリートの充填性が向上される。
【００１３】
また、請求項２の発明に係る合成床版の継手構造によれば、より剛性を大きくすることができる。
【発明を実施するための最良の形態】
【００１４】
以下、図１〜図３に示した好ましい実施形態に基づいて、この発明に係る合成床版の継手構造を具体的に説明する。
【００１５】
図１は２枚の合成床版10を接続させた継手部分を示す橋軸を含む縦断面図で、合成床版10は底鋼板11の適宜位置に補強材12が溶着されている。補強材12の上方には配力筋13が配され、該配力筋13の上方に主鉄筋14が配されている。隣接する合成床版10同士の底鋼板11を突き合わせ、合成床版10の内側から連結板15を、双方の底鋼板11の端縁部に重ね合わせてある。底鋼板11の該端縁部には予めボルト穴11aが形成されており、連結板15にも該端縁部に重ね合わせた状態で該ボルト穴11aと合致するボルト穴15aが形成されている。そして、これらボルト穴11a、15aに高力ボルト16を挿通させて、ナット17を締め付けることにより、連結板15が隣接する合成床版10のそれぞれの底鋼板11の端縁部に締結されている。なお、高力ボルト16には座金18、19を介在させる場合と、座金19のみを介在させる場合がある。
【００１６】
そして、連結板15を締結した継手部に、前記配力筋13や主鉄筋14を適宜に埋設する厚さまでコンクリートを打ち込んで、合成床版10の接続が完了する。
【００１７】
以上説明した実施形態では、隣接する合成床版10の端縁部のそれぞれには、単一の列で合計２列で高力ボルト16を用いて連結板15を締結した構造として説明したが、それぞれの端縁部に２列ずつ合計４列もしくはそれ以上の高力ボルト16を配して締結する構造としても構わない。
【産業上の利用可能性】
【００１８】
この発明に係る合成床版の継手構造によれば、従来の継手構造に用いられているループ継手筋や下側配力筋等が不要となり、現場における配筋施工等が簡単となり、橋梁のコスト低減や工期の短縮を図ることができる。
【図面の簡単な説明】
【００１９】
【図１】この発明に係る合成床版の継手構造の構造を説明する橋軸を含む鉛直面で切断した継手部の断面図である。
【図２】図１におけるＡ−Ａ線断面図である。
【図３】図１に示す継手部の平面図である。
【図４】従来の合成床版に関する正曲げ部における継手部を示す図で、図１に相当する縦断面図である。
【図５】図４におけるＢ−Ｂ線断面図である。
【図６】従来の合成床版に関する負曲げ部における継手部を示す図で、図１に相当する縦断面図である。
【図７】図６におけるＣ−Ｃ線断面図である。
【符号の説明】
【００２０】
10  合成床版
11  底鋼板
11a  ボルト穴
12  補強材
13  配力筋
14  主鉄筋
15  連結板
15a  ボルト穴
16  高力ボルト
17  ナット
18、19  座金
【図１】
2006225956.tif 000003
【図２】
2006225956.tif 000004
【図３】
2006225956.tif 000005
【図４】
2006225956.tif 000006
【図５】
2006225956.tif 000007
【図６】
2006225956.tif 000008
【図７】
2006225956.tif 000009